(57)【要約】【課題】浴室の浴槽に湯が張られた状態において、少なくともシャワー装置から湯を出す場合に、冷水が出て使用者が不快な思いをすることが低減されると共に、従来の様な水の無駄遣いも生じない浴室給湯システムを提供すること。【解決手段】給湯装置２００から供給される湯を貯める浴槽１０と、シャワー装置４０と、給湯装置２００からシャワー装置４０に湯を供給する給湯配管７０と、を備えた浴室給湯システム１であって、給湯配管７０の途中の熱交換用配管７１が、浴槽１０に貯められた湯と接する浴槽の内壁面１０ｂの反対側の面１０ｃと熱交換可能に配置されている、ことを特徴とする浴室給湯システム１である。【選択図】図１
2016187403.tif 000002
【特許請求の範囲】
【請求項１】
給湯装置から供給される湯を貯める浴槽と、
シャワー装置と、
前記給湯装置から前記シャワー装置に湯を供給する給湯配管と、を備えた浴室給湯システムであって、
前記給湯配管の途中の配管が、前記浴槽に貯められた湯と接する前記浴槽の内壁面の反対側の面と熱交換可能に配置されている、ことを特徴とする浴室給湯システム。
【請求項２】
前記給湯装置からの湯を、前記途中の配管を経由して前記シャワー装置側に供給するか又は前記途中の配管側を経由せず前記シャワー装置側に供給するかの切り替えを行う、前記途中の配管の上流側に配置された流路切替部材と、
前記流路切替部材から前記途中の配管を経由せずに前記シャワー装置側に連結されたバイパス配管と、
を備えたことを特徴とする請求項１に記載の浴室給湯システム。
【請求項３】
カランと、
前記給湯装置から供給されてくる湯を前記カラン側に送るか又は前記シャワー装置側に送るかの切り替えを行う、前記途中の配管の下流側に配置されたシャワー・カラン切替部材と、
を備えたことを特徴とする請求項１又は２に記載の浴室給湯システム。
【請求項４】
前記浴槽に貯められた湯と接する前記浴槽の内壁面の反対側の面に沿った断熱層を有する浴槽断熱部材を備え、
前記浴槽断熱部材の、前記浴槽の内壁面の反対側の面に対向する面には、前記途中の配管を前記浴槽の内壁面の反対側の面に接触させると共に位置決めする為の溝部が形成されている、ことを特徴とする請求項１〜３の何れか一つに記載の浴室給湯システム。
【発明の詳細な説明】
【技術分野】
【０００１】
本発明は、浴室給湯システムに関する。
【背景技術】
【０００２】
従来、浴室における給湯システムにおいて、当該浴室内のカラン又はシャワーヘッドから湯を出す場合、混合水栓に設けられている切替ハンドルをカラン側又はシャワー側に切り替えて、混合水栓に設けられている給湯ハンドルを回すことにより、給湯装置から湯が供給される給湯システムが知られている。
【０００３】
この様な給湯システムでは、例えば、使用者が切替ハンドルをシャワー側に切り替えて、給湯ハンドルを回した場合、給湯装置から送られてくる湯によって、まず、給湯装置から混合水栓に至るまでの配管内に溜まっている水が押し出されて、その後に、給湯装置で暖められた湯が配管を暖めることにより放熱されて出てくる。
【０００４】
その為、少なくとも最初に押し出されてくる水は暖まっておらず、使用者は、シャワーヘッドから噴出される冷水が体に当たらない様に注意を払わなければならず、その注意を怠ると、冷水を浴びてしまい不快な思いをするという問題があった。
【０００５】
この様な問題点を改善する技術として、シャワーヘッドと混合水栓の間に三方弁を設けて、冷水をシャワーヘッドに至る手前で配管外部に排出するシステムが提案されている（例えば、特許文献１参照）。
【先行技術文献】
【特許文献】
【０００６】
【特許文献１】特開平０２−３０４１２７号公報
【発明の概要】
【発明が解決しようとする課題】
【０００７】
しかしながら、従来のこの様なシステムでは、シャワーヘッドに至る手前で配管外部に排出される冷水は、使用せずに捨てられてしまうので、水の無駄遣いを助長するという問題があった。
【０００８】
本発明は、上記従来の課題に鑑みて、浴室の浴槽に湯が張られた状態において、少なくともシャワー装置から湯を出す場合に、冷水が出て使用者が不快な思いをすることが低減されると共に、従来の様な水の無駄遣いも生じない浴室給湯システムを提供することを目的とする。
【課題を解決するための手段】
【０００９】
第１の本発明は、
給湯装置から供給される湯を貯める浴槽と、
シャワー装置と、
前記給湯装置から前記シャワー装置に湯を供給する給湯配管と、を備えた浴室給湯システムであって、
前記給湯配管の途中の配管が、前記浴槽に貯められた湯と接する前記浴槽の内壁面の反対側の面と熱交換可能に配置されている、ことを特徴とする浴室給湯システムである。
【００１０】
また、第２の本発明は、
前記給湯装置からの湯を、前記途中の配管を経由して前記シャワー装置側に供給するか又は前記途中の配管側を経由せず前記シャワー装置側に供給するかの切り替えを行う、前記途中の配管の上流側に配置された流路切替部材と、
前記流路切替部材から前記途中の配管を経由せずに前記シャワー装置側に連結されたバイパス配管と、
を備えたことを特徴とする上記第１の本発明の浴室給湯システムである。
【００１１】
また、第３の本発明は、
カランと、
前記給湯装置から供給されてくる湯を前記カラン側に送るか又は前記シャワー装置側に送るかの切り替えを行う、前記途中の配管の下流側に配置されたシャワー・カラン切替部材と、
を備えたことを特徴とする上記第１又は第２の本発明の浴室給湯システムである。
【００１２】
また、第４の本発明は、
前記浴槽に貯められた湯と接する前記浴槽の内壁面の反対側の面に沿った断熱層を有する浴槽断熱部材を備え、
前記浴槽断熱部材の、前記浴槽の内壁面の反対側の面に対向する面には、前記途中の配管を前記浴槽の内壁面の反対側の面に接触させると共に位置決めする為の溝部が形成されている、ことを特徴とする上記第１〜第３の何れか一つの本発明の浴室給湯システムである。
【発明の効果】
【００１３】
本発明によれば、浴室の浴槽に湯が張られた状態において、少なくともシャワー装置から湯を出す場合に、冷水が出て使用者が不快な思いをすることが低減されると共に、従来の様な水の無駄遣いも生じない浴室給湯システムを提供することが出来る。
【図面の簡単な説明】
【００１４】
【図１】本発明の一実施の形態の浴室給湯システムの全体の概略構成を示す配管系統の模式図
【図２】本実施の形態の浴室給湯システムにおける熱交換用配管の配置状態を説明する為の浴槽の部分断面模式図
【図３】本実施の形態の変形例を説明するための、第２浴槽の模式断面図
【発明を実施するための形態】
【００１５】
以下に、本発明の浴室給湯システムの一実施の形態について、図面を用いて説明する。
【００１６】
まず、本実施の形態の浴室給湯システム１について、図１を用いて説明する。
【００１７】
図１は、本実施の形態の浴室給湯システム１の全体の概略構成を示す配管系統の模式図である。
【００１８】
本実施の形態の浴室給湯システム１は、図１に示す様に、浴室１００に配置された浴槽１０と、浴槽１０を断熱する浴槽断熱部材２０と、浴槽１０の縁部１０ａに設けられた混合水栓３０と、混合水栓３０に取り付けられたシャワー装置４０と、混合水栓３０に取り付けられたカラン５０と、を備えている。
【００１９】
また、本実施の形態の浴室給湯システム１は、図１に示す様に、屋外に配置された給湯装置２００で沸かされた湯を浴槽１０の内壁面１０ｂに設けられた開口部１１まで供給する為の貯湯配管６０と、給湯装置２００で沸かされた湯をシャワー装置４０に供給する給湯配管７０と、給湯配管７０の途中の配管であって浴槽１０に貯められた湯と接する浴槽１０の内壁面１０ｂの反対側の面１０ｃと接触させて熱交換可能に巻き付けられて配置されている熱交換用配管７１と、一端側が水道管（図示省略）側に接続され且つ他端側が混合水栓３０に接続されている給水配管８０とを備えている。
【００２０】
尚、熱交換用配管７１については、図２を用いて更に後述する。
【００２１】
シャワー装置４０は、シャワー配管４１とシャワーヘッド４２とにより構成されている。
【００２２】
また、混合水栓３０は、図１に示す様に、給水配管８０の他端側が連結された、給水量を調節する給水バルブ３１と、給湯装置２００からの給湯量を調節する給湯バルブ３２と、給水バルブ３１で給水量が調節された水と給湯バルブ３２で給湯量が調節された湯とを混合すると共に当該混合された混合水をシャワー装置４０のシャワー配管４１に供給するか又はカラン５０に供給するかの切り替えを行うシャワー・カラン切替バルブ３３とを有している。
【００２３】
給水バルブ３１には、使用者が手で回すことが出来る給水ハンドル（図示省略）が設けられており、給湯バルブ３２には、使用者が手で回すことが出来る給湯ハンドル（図示省略）が設けられており、シャワー・カラン切替バルブ３３には、使用者が手で回すことが出来るシャワー・カラン切替ハンドル（図示省略）が設けられている。
【００２４】
また、給湯配管７０の経路上には、熱交換用配管７１より上流側に上流側三方弁７２が設けられると共に、熱交換用配管７１より下流側に下流側三方弁７３が設けられており、上流側三方弁７２と下流側三方弁７３との間にはバイパス配管７４が配置されている。上流側三方弁７２と下流側三方弁７３は、浴室１００に配置されたリモートコントローラ（図示省略）からの指令により自動的に切り替わる。これについては、更に後述する。
【００２５】
尚、本実施の形態の上流側三方弁７２は、本発明の流路切替部材の一例にあたる。
【００２６】
また、貯湯配管６０の経路上には、浴槽１０への湯の供給を開始又は停止する開閉弁６１が設けられており、リモートコントローラ（図示省略）からの指令により自動的に開閉動作を行う構成である。
【００２７】
尚、給湯装置２００は、使用者が混合水栓３０の給湯ハンドル（図示省略）を開方向に操作すると共に、シャワー・カラン切替ハンドル（図示省略）を何れかに切替る操作を行うことにより発生する給湯装置２００から給湯配管７０側への流水を、内蔵した流水センサー（図示省略）により検知して、給湯装置２００内のガス燃焼器（図示省略）を自動点火する構成である。
【００２８】
また、給水配管８０の上流側で分岐した分岐配管８１は、給湯装置２００に連結されて、水道水を供給している。
【００２９】
次に、熱交換用配管７１の配置状態について、図２を用いて更に説明する。
【００３０】
図２は、熱交換用配管７１の配置状態を説明する為の浴槽１０の部分断面模式図である。
【００３１】
本実施の形態では、熱交換用配管７１は、熱伝導率の高い銅製配管である。そして、当該熱交換用配管７１は、その金属表面が露出しており、且つ、図１、図２に示す様に、浴槽１０に貯められた湯１０１と接する浴槽１０の内壁面１０ｂの反対側の面１０ｃに当該金属表面が接触した状態で、浴槽１０の下部側から上部側に向けて螺旋状に巻き付けられている。
【００３２】
即ち、上流側三方弁７２を経由した上流側給湯配管７０ａは、その配管経路の途中において、浴槽１０の下部側に巻き付けられて配置された入口側管７１ａに連結されている。そして、浴槽１０の上部側に巻き付けられて配置された出口側管７１ｂに連結された下流側給湯配管７０ｂは、下流側三方弁７３を介して給湯バルブ３２に連結されている。
【００３３】
尚、本実施の形態の上流側給湯配管７０ａと下流側給湯配管７０ｂと熱交換用配管７１とを含む構成が、本発明の給湯配管の一例にあたり、本実施の形態の熱交換用配管７１は、本発明の給湯配管の途中の配管の一例にあたる。
【００３４】
また、浴槽断熱部材２０は、浴槽１０を外周側から取り囲むと共に、後述する溝部２１を除き、浴槽１０の内壁面１０ｂの反対側の面１０ｃに接する様に予め箱状に成型された発泡スチロール製の成型部材であり、浴槽１０の湯を冷めにくくすると共に、浴槽１０の内壁面１０ｂの反対側の面１０ｃに熱交換用配管７１の金属表面を確実に接触させて位置決め出来る様に構成されている。
【００３５】
即ち、浴槽断熱部材２０の内周面には、熱交換用配管７１の外径と同程度の寸法の深さを有し、当該熱交換用配管７１が収納可能な幅を有する溝部２１が、浴槽１０の下部側から上部側に向けて螺旋状に形成されている。そして、当該溝部２１に収納された熱交換用配管７１が、溝部２１の底面部２１ａにより当接されて、浴槽１０の内壁面１０ｂの反対側の面１０ｃに確実に接触させる構成である。
【００３６】
以上のことから、簡単な構成により熱交換用配管７１を浴槽１０の内壁面１０ｂの反対側の面１０ｃに確実に接触させることが出来るので、熱交換用配管７１内の水と浴槽１０内の湯との間の高い熱交換効率が実現出来る。
【００３７】
次に、本実施の形態の浴室給湯システム１の動作について、主として図１を用いて説明する。
【００３８】
ここでは、冬季において、まず浴槽１０にお湯張りをして、その後、シャワー装置４０を使用する場合について説明する。
【００３９】
本実施の形態では、給水配管８０で供給される水の温度を検知する水温センサ（図示省略）が設けられており、リモートコントローラ（図示省略）において、当該水温センサが検知した温度が所定温度以下であると判定された場合、上流側三方弁７２と下流側三方弁７３に対してリモートコントローラから指令が出されて、バイパス配管７４を自動的に閉鎖する様に構成されている。
【００４０】
従って冬季の場合、水温が所定温度より低いので上記構成により、バイパス配管７４は自動的に閉鎖され、給湯装置２００からの湯は、バイパス配管７４を通過することなく、上流側給湯配管７０ａ、熱交換用配管７１、及び下流側給湯配管７０ｂを経由して混合水栓３０側へ供給されることになる。
【００４１】
使用者は、まず浴槽１０にお湯張りをする為に、リモートコントローラ（図示省略）に設けられたお湯張りスイッチ（図示省略）を操作する。
【００４２】
即ち、お湯張りスイッチがＯＮされると、リモートコントローラからの指令により自動的に給湯装置２００が点火すると共に開閉弁６１が開状態となり、給湯装置２００からの湯が貯湯配管６０を経由して開口部１１から浴槽１０内に供給される。そして、予め設定された湯面までお湯が溜まると、お湯張り動作は自動的に停止されて、開閉弁６１は閉じる。
【００４３】
これにより、浴槽１０内へのお湯張りの前から既に熱交換用配管７１内に貯留されていた冷水に対して、浴槽１０に貯められた湯からの熱が、浴槽１０の内壁面１０ｂ、その反対側の面１０ｃ、及び銅製の金属配管壁を経由して熱伝導されるので、やがて当該冷水の温度は、浴槽１０に貯められた湯温に近づいて保温される。
【００４４】
次に、お湯張りが完了した後しばらく経ってから、使用者が浴室１００に入り、まずシャワー装置４０を使用する。
【００４５】
即ち、使用者は、シャワーヘッド４２から噴出する湯の量と温度が所望の状態になる様に、給湯バルブ３２に連結されている給湯ハンドル（図示省略）と給水バルブ３１に連結されている給水ハンドル（図示省略）とを適宜調節して、シャワー・カラン切替バルブ３３に連結されているシャワー・カラン切替ハンドル（図示省略）をシャワー側に切り替える。
【００４６】
これにより、まず、上述した通り熱交換用配管７１内に貯留されて保温されている大量の湯が、下流側給湯配管７０ｂに貯留されて放熱された少量の冷水と共に混合水栓３０側に供給されて、シャワーヘッド４２から噴出される。
【００４７】
これと同時に、給湯装置２００に内蔵された流水センサー（図示省略）により給湯配管７０側への流水の発生が検知されて、給湯装置２００内のガス燃焼器（図示省略）が自動点火されることにより、給湯装置２００から給湯配管７０に新たに沸かされた湯が送り出される。
【００４８】
そして、新たに沸かされた最初の湯は所定の温度より低温の状態で送り出され、上流側給湯配管７０ａを通過する間に更に放熱して温度が低下するが、熱交換用配管７１を通過する間に、浴槽１０内に貯留されている湯からの熱伝導により温度上昇して、下流側給湯配管７０ｂを通り混合水栓３０を経て、シャワーヘッド４２から暖かい湯が噴出される。やがて、給湯装置２００から送り出される湯温が所定の温度まで上昇することにより、シャワーヘッド４２から安定した暖かい湯が噴出することになる。
【００４９】
これにより、使用者が、シャワー装置４０を使用した場合、シャワーヘッド４２から、下流側給湯配管７０ｂに貯留されて放熱された少量の冷水が瞬間的には噴出するが、熱交換用配管７１内に貯留されて保温されていた湯が、ほぼ当初から噴出するので、従来のシステムの様に、給湯配管内に貯留していた大量の冷水が出て使用者が不快な思いをすることが防止出来る。
【００５０】
また、従来のシステムでは、給湯配管が暖まるまでの間、噴出される冷水を体に浴びない様にするために、当該冷水を捨ててしまっていたが、本実施の形態の浴室給湯システム１によれば、従来のシステムの様な水の無駄遣いも防止出来る。
【００５１】
また、新たに沸かされた最初の低温の湯は、熱交換用配管７１を通過する間に、浴槽１０内に貯留されている湯からの熱伝導により温度上昇するので、安定した所定温度への立ち上がり時間が短縮出来る。
【００５２】
次に、夏季において、浴槽１０にお湯張りをすることなく、シャワー装置４０を使用する場合について説明する。
【００５３】
夏季の場合、水温が所定温度より高いことを検知したリモートコントローラ（図示省略）からの指令により、上流側三方弁７２と下流側三方弁７３が作動して、熱交換用配管７１側への流水経路が自動的に閉鎖され、給湯装置２００からの湯は、上流側三方弁７２からバイパス配管７４を通過して、下流側三方弁７３を経て、混合水栓３０側へ供給されることになる。
【００５４】
ここで仮に、浴槽１０にお湯張りをしない場合においても、給湯装置２００からの湯を、熱交換用配管７１側を経由させる構成にしたとすると、シャワーヘッド４２から湯が噴出されてくるまでの時間が従来に比べて長くなる。
【００５５】
これに対して、本実施の形態の浴室給湯システム１によれば、夏季の場合、自動的にバイパス配管７４に切り替わるので、シャワーヘッド４２から湯が噴出されてくるまでの時間は従来と同程度になる。
【００５６】
尚、上記説明では、混合水栓３０のシャワー・カラン切替バルブ３３をシャワー装置４０側に切り替えた場合について説明したが、これに限らず例えば、シャワー・カラン切替バルブ３３をカラン５０側に切り替えた場合であっても上記と同様の効果を発揮する。
【００５７】
尚、上記実施の形態では、熱交換用配管７１を、浴槽１０の下部側から上部側に向けて浴槽１０の周囲に螺旋状に巻き付ける構成について説明したが、これに限らず例えば、図３に示す様に、第２浴槽１１０では、下部側から上部側に向けて螺旋状に巻き付ける経路に加えて、底面側にも渦巻き上に配置する経路を設けた第２熱交換用配管１７１を用いる構成であっても良い。ここで、図３は、上記実施の形態の変形例を説明するための、第２浴槽１１０の模式断面図である。
【００５８】
また、上記実施の形態では、浴槽断熱部材２０に予め設けられた溝部２１を利用して、熱交換用配管７１を浴槽１０の面１０ｃに押しつけると共に位置決めを行う構成としたが、これに限らず例えば、図３に示す様に、第２浴槽１１０の壁を内部に空間部を有する中空構造とし、その空間部に予め第２熱交換用配管１７１を、第２浴槽１１０の内壁面１１０ｂの反対側の面１１０ｃに接触させた状態で溶接等で固定して、その後、その空間部に発泡材料を注入して発泡させることにより、第２浴槽断熱部材１２０を形成する構成としても良い。
【００５９】
また、上記実施の形態の浴室給湯システム１は、ユニットバスに適用しても良く、その場合でも上記と同様の効果を発揮する。
【００６０】
また、上記実施の形態では、追い炊きについて特に言及していないが、追い炊き機能を追加した構成であっても良い。
【００６１】
また、上記実施の形態では、給湯装置２００からの湯をバイパス配管７４側に流すか、又は熱交換用配管７１側に流すかを切り替える為に、上流側三方弁７２と下流側三方弁７３を備えた構成について説明したが、これに限らず例えば、三方弁に代えて、別の切替部材であっても良い。
【００６２】
また、上記実施の形態では、シャワー装置４０及びカラン５０の何れに切り替えた場合でも、当初から温水が出て、且つ、水の無駄遣いを防止出来る構成について説明したが、これに限らず例えば、シャワー装置４０を使用する場合にのみ上記効果を発揮する構成としても良い。
【００６３】
上記実施の形態では、熱交換用配管７１、及び第２熱交換用配管１７１として、銅製配管を用いる場合について説明したが、これに限らず例えば、熱伝導率が高い材料であれば銅以外の金属で配管を構成しても良いし、金属以外の材料で構成された配管であっても良い。
【００６４】
また、上記実施の形態では、上流側給湯配管７０ａと、熱交換用配管７１と、下流側給湯配管７０ｂとが、それぞれ別部材として構成されており、それぞれが施工工事の際に連結される場合について説明したが、これに限らず例えば、これらが、上流側給湯配管から下流側給湯配管に至るまで継ぎ目の無い配管として構成されていても良い。
【００６５】
また、上記実施の形態では、浴槽断熱部材２０に予め設けられた溝部２１の底面部２１ａを利用して、熱交換用配管７１を浴槽１０の面１０ｃに押しつけることにより、熱伝導を行わせる構成としたが、これに限らず例えば、溝部２１と熱交換用配管７１の隙間に熱伝導率の良好な充填材又は接着剤を注入した構成であっても良い。
【産業上の利用可能性】
【００６６】
本発明の浴室給湯システムによれば、浴室の浴槽に湯が張られた状態において、少なくともシャワーヘッドから湯を出す場合に、冷水が出て使用者が不快な思いをすることが低減されると共に、従来の様な水の無駄遣いも生じないという効果を発揮し、浴室給湯システムとして有用である。
【符号の説明】
【００６７】
１０    浴槽
１０ａ  縁部
１０ｂ  内壁面
１０ｃ  反対側の面
２０    浴槽断熱部材
３０    混合水栓
４０    シャワー装置
５０    カラン（蛇口）
６０    貯湯配管
７０    給湯配管
７０ａ  上流側給湯配管
７０ｂ  下流側給湯配管
７１    熱交換用配管
７２    上流側三方弁
７３    下流側三方弁
７４    バイパス配管
８０    給水配管
８１    分岐配管
【図１】
2016187403.tif 000003
【図２】
2016187403.tif 000004
【図３】
2016187403.tif 000005